(57)【要約】  本発明は、表紙（１０２，１０４）と個人化ページ（１０６）とを有する文書に関するものであり、個人化ページには表示装置（１１６）が配置されており、さらに表示装置を制御するための電子回路（１３８）を有しており、電子回路は表紙に組み込まれており、さらに表示装置と電子回路の間に延びるフレキシブル配線板（１２０）を有している。【選択図】図２
2013521153.tif 000002
【特許請求の範囲】
【請求項１】
表紙（１０２，１０４）と、
表示装置（１１６）が配置された個人化ページ（１０６）と、
前記表示装置を制御するための、前記表紙に組み込まれた電子回路（１３８）と、
前記表示装置と前記電子回路との間に延びるフレキシブル配線板（１２０）と
を有する文書。
【請求項２】
前記文書は有価証券またはセキュリティ文書、たとえば証明文書、特に旅券、身分証明書、ビザ、運転免許証、自動車登録証、車検証、社員証、保険カード、あるいはその他のＩＤ文書、支払手段、運送状、あるいはその他の権利証明書であって、本型に構成されているものである、請求項１に記載の文書。
【請求項３】
前記個人化ページは１５０μｍから６００μｍ、特に１５０μｍから４００μｍの厚みを有している、請求項１または２に記載の文書。
【請求項４】
前記個人化ページは１つまたは複数のプラスチック層を有している、請求項１から３の何れか１項に記載の文書。
【請求項５】
前記個人化ページは第１および第２のプラスチック層を有しており、これらの間に前記表示装置と前記フレキシブル配線板の第１の領域（１２２）がある、請求項４に記載の文書。
【請求項６】
前記表示装置は双安定表示装置、電気泳動表示器、エレクトロクロミック表示器、液晶表示器（ＬＣＤ）、ＬＥＤ表示器、特に無機ＬＥＤ表示器または有機ＬＥＤ表示器（ＯＬＥＤ）、回転素子表示器、棒グラフ表示器、フォトルミネセンス消光型表示器、またはエレクトロウェッティング効果をベースとする表示器、もしくはハイブリッド型表示器である、請求項１から５のいずれか１項に記載の文書。
【請求項７】
前記回路は、画像データを記憶するためのメモリ（１４４）と、前記メモリに保存された画像データの再生のために前記表示装置を制御する論理コンポーネント（１４６；１４８）とを含んでいる、請求項１から６のいずれか１項に記載の文書。
【請求項８】
前記文書へエネルギーを入力結合するためのコイル（１４２）を有しており、前記コイルは前記回路および／または前記表示装置へのエネルギー供給のために前記フレキシブル配線板と電気接続されている、請求項１から７のいずれか１項に記載の文書。
【請求項９】
前記電子回路は前記配線板の第２の区域（１２４）にあり、前記配線板はその第１の区域（１２２）で前記表示装置と接触する、請求項１から８のいずれか１項に記載の文書。
【請求項１０】
前記個人化ページを１つまたは複数の内側枚葉紙（１３４）と結合するための縫合部（１３６）を有しており、前記縫合部は前記配線板を貫いて（１６０，１６２，１６４）延びる糸（１５４）を有している、請求項１から９のいずれか１項に記載の文書。
【請求項１１】
前記糸は導電性であり、前記配線板の少なくとも第１および第２の条導体（１６６，１６８，１７０）の間の電気接触を成立させる、請求項１０に記載の文書。
【請求項１２】
前記第１の条導体（１６６，１７０）は前記電気回路と接続されるとともに前記第２の条導体（１６８）は前記表示装置と接続されており、前記電気回路は前記第２の条導体が前記糸を介して前記第１の条導体と電気接続されているかどうかチェックするために照会ロジック（１４６，１７４）を含んでいる、請求項１１に記載の文書。
【請求項１３】
前記回路および／または前記表示装置への電圧供給は前記糸の一区域を介して行われる、請求項１１に記載の文書。
【請求項１４】
前記糸により前記配線板の１つまたは複数の別の条導体（１４０）を介してブリッジ（１５６，１５８）が形成される、請求項１０から１３のいずれか１項に記載の文書。
【請求項１５】
前記別の条導体は前記表示装置を制御するための行または列の配線である、請求項１４に記載の文書。
【請求項１６】
前記電子回路および前記回路を担持する前記配線板の前記第２の区域は表紙の見返し（１５２）に配置されている、請求項１から１５のいずれか１項に記載の文書。
【請求項１７】
前記個人化ページは製本によって表紙と結合されており、前記フレキシブル配線板は製本部を介して、または製本部を通って延びている、請求項１から１６のいずれか１項に記載の文書。
【請求項１８】
表示装置（１１６）、及び、当該表示装置と接触する、個人化ページから突き出す領域（１２４）を有するフレキシブル配線板（１２０）を備える個人化ページ（１０６）を製作し、
表紙に前記領域を取り付け、表紙に前記個人化ページを旋回可能に取り付ける
文書を製造する方法であって、
前記個人化ページから突き出した前記領域は前記表示装置を制御するための電子回路（１３８）を有する
方法。
【請求項１９】
次の別のステップを有しており、すなわち、
縫合部（１３６）によって前記個人化ページを１つまたは複数の内側枚葉紙と結合し、このとき前記縫合部は前記配線板を通って延びている、請求項１８に記載の方法。
【請求項２０】
前記縫合部の糸は導電性であり、前記配線板に配置された少なくとも第１および第２の電気コンポーネントまたは電子コンポーネント（１６６，１６８，１７０）が前記糸によって相互に接触する、請求項１９に記載の方法。
【発明の詳細な説明】
【技術分野】
【０００１】
本発明は、表紙を有する文書、特にたとえばいわゆるパスポートのような証明文書に関する。
【背景技術】
【０００２】
特許文献１より、表紙の芯材にＲＦＩＤデータ担体を有しているパスポートが公知である。
【０００３】
特許文献２より、トランスポンダユニットを担持する熱可塑性エラストマーからなる層を有する芯紙を備えたパスポートが公知である。
【０００４】
特許文献３より、表示欄と集積回路とを担持する個人化ページを含んでいる旅券が公知である。集積回路と表示欄は柔軟な配線と接続されており、柔軟な配線は同じく個人化ページにある。
【先行技術文献】
【特許文献】
【０００５】
【特許文献１】ドイツ特許出願公開第１０２００４００８８４１Ａ１号明細書
【特許文献２】国際公開第２００６０５３６７９号パンフレット
【特許文献３】ドイツ特許出願公開第１０２００５０３０６２６Ａ１号明細書
【発明の概要】
【発明が解決しようとする課題】
【０００６】
それに対して本発明の課題は、改良された文書およびそのような文書を製造する方法を提供することにある。
【課題を解決するための手段】
【０００７】
本発明に課された課題は、それぞれ独立請求項の構成要件によって解決される。本発明の実施形態は、従属請求項に記載されている。
【０００８】
本発明によると、表紙と個人化ページとを有する文書が提供される。個人化ページは、１つまたは複数の画像を表示するための、たとえば１つまたは複数の旅券用写真を表示するための、特にポートレート写真および／またはテキスト情報および／または２Ｄバーコードをシーケンシャルに表示するための、表示装置を担持している。
【０００９】
この文書は、表示装置を制御するための電子回路を有しており、電子回路は表紙に組み込まれている。フレキシブル配線板が表示装置と回路の間に延びており、それにより、回路は配線板に配置された電気コンポーネントおよび／または電子コンポーネントを介して、特に条導体を介して、表示装置を制御することができる。
【００１０】
本発明の実施形態が特別に好ましい理由は、表示装置の作動のために必要な電子装置の少なくとも一部が表紙に電子回路の形態で格納されているので、それに応じて個人化ページをいっそう薄く、かついっそう柔軟に構成できるからである。さらに、それによって修正や偽造に対する安全性を向上させることができる。特に、本型の文書から個人化ページを抜き取って、別の似た構成の文書に個人化ページを挿入することが困難になる。
【００１１】
本発明の実施形態では文書は、有価証券やセキュリティ文書、たとえば証明文書、特に旅券、身分証明書、ビザ、運転免許証、自動車登録証、車検証、社員証、保険カード、あるいはその他のＩＤ文書、支払手段、運送状、あるいはその他の権利証明書であって、本型に構成されているものをいう。
【００１２】
「個人化ページ」とは、ここでは個人化のために設けられた、もしくはすでに個人化されている文書のページを意味している。たとえば個人化ページは、レーザ個人化のための１つまたは複数のプラスチック層を含んでいる。個人化ページは文書の所有者に関するテキストの記載を有することができ、ならびに、機械で読み取り可能な行を有することができ、特に国際民間航空機関（ＩＣＡＯ）が仕様を決める機械可読領域（ＭＲＺ）を有することができる。
【００１３】
「製本」とは、ここでは表紙と本型の文書のページの、特に個人化ページの、あらゆる形態の結合を意味しており、これは特に糸綴じおよび／または無線綴じによって行われ、特に当業者に周知の製本技術によって、たとえばラミネーション、貼り込み、縫い込みなどによって行われる。
【００１４】
本発明による表示装置の補足として個人化ページは、印刷されていてよい、またはレーザ個人化によって個人化ページに埋め込まれていてよい、所有者の旅券用写真を担持することができる。旅券用写真はシルエットであってよい。
【００１５】
「フレキシブル配線板」とは、ここでは特に１つまたは複数の電気コンポーネントまたは電子コンポーネントが、特に１つまたは複数の条導体が塗布されている可撓の層を意味している。このようなフレキシブル配線板はプリント回路板（ＰＣＢ）とも呼ばれ、従来技術でたとえば電子カメラなどに用いられている。
【００１６】
本発明の１つの実施形態では、個人化ページは１５０μｍから６００μｍの間、特に１５０μｍから４００μｍの間の厚みを有している。このような薄い設計形態は、個人化ページに表示装置が組み込まれているにもかかわらず、表示ページの制御とそのエネルギー供給のために必要なコンポーネントの少なくとも一部が、個人化ページにではなく表紙に組み込まれていることによって可能となる。
【００１７】
本発明の１つの実施形態では、個人化ページは互いに向き合う少なくとも２つのプラスチック層を有しており、これらの間に表示装置と、表示装置と接触するフレキシブル配線板の第１の領域とが配置されている。配線板の第２の領域は、個人化ページから突き出している。この第２の領域は、個人化ページが表紙と接続されたときに表紙の切欠きに格納される電子回路を担持している。
【００１８】
本発明の１つの実施形態では、文書に組み込まれた表示装置は、双安定表示装置、電気泳動表示器、エレクトロクロミック表示器、液晶表示器（ＬＣＤ）、ＬＥＤ表示器、特に無機ＬＥＤ表示器または有機ＬＥＤ表示器（ＯＬＥＤ）、回転素子表示器、棒グラフ表示器、フォトルミネセンス消光型表示器、またはエレクトロウェッティング効果をベースとする表示器、もしくはハイブリッド型表示器である。
【００１９】
本発明の１つの実施形態では、電子回路は、画像データすなわち画像再生のために意図されるデータを記憶するためのメモリと、画像データの再生のために表示装置を制御する論理コンポーネント、特にマイクロプロセッサとを含んでいる。
【００２０】
論理コンポーネントは、表示装置のドライバ回路を含むことができる。あるいは実施形態に応じて、ドライバ回路がたとえば表示装置の一部として個人化ページに組み込まれていてもよい。論理回路は、特に国際民間航空機関（ＩＣＡＯ）により仕様が決められている、いわゆる基本アクセス制御（ＢＡＣ）および／または拡張アクセス制御（ＥＡＣ）のために、１つまたは複数の暗号プロトコルをインプリメントすることができる。
【００２１】
本発明の１つの実施形態では、電子回路および／または表示装置を作動させるための電気エネルギーを文書へ入力結合するために、アンテナまたはコイルが表紙に組み込まれている。たとえば電子回路はＲＦＩＤチップとして構成されており、コイルを介して、ＲＦＩＤ方式またはＮＦＣ方式により誘導電気エネルギーが入力結合される。
【００２２】
本発明の１つの実施形態では、コイルは、たとえば個人化ページから突き出している配線板の領域で、フレキシブル配線板と電気接続されている。それにより、特別に高いコスト効率で製造可能な、コイルと電子回路および／または表示装置との接触が与えられる。
【００２３】
本発明の１つの実施形態では、表示装置は異方性導電フィルム（Ａｎｉｓｏｔｒｏｐ  Ｃｏｎｄｕｃｔｉｖｅ  Ｆｉｌｍ−ＡＣＦ）によって電気接触される。
【００２４】
本発明の１つの実施形態では、個人化ページは文書の１つまたは複数の内側枚葉紙と縫合部により結合されており、縫合部は配線板を通って延びる糸を有している。内側枚葉紙はたとえば紙でできていてよく、たとえばビザのように、のちに記入をするために設けられていてよい。
【００２５】
本発明の１つの実施形態では、縫合部の糸は少なくとも１つの区域で導電性であり、配線板の少なくとも第１および第２の条導体の間で電気接触を成立させる。それにより、条導体と文書の間で特別に密着した結合が与えられ、このことは偽造防止性をいっそう高める。
【００２６】
本発明の１つの実施形態では、配線板は、電子回路と接続された第１の条導体と、表示装置と接続された第２の条導体とを担持している。第１の条導体と第２の条導体は、縫合部の糸によって互いに電気接続される。電子回路は、それが実際に成り立っているかどうかチェックするために、照会ロジックを含んでいる。この電気接続が成立していないとき、このことは文書の偽造を示唆しているので、たとえエネルギーが文書に入力結合されても、電子回路が表示装置を制御しなくなり、すなわち画像が表示装置に現れなくなる。
【００２７】
本発明の１つの実施形態では、電子回路および／または表示装置の電圧供給は縫合部の糸の一区域を介して行われ、それにより、さらに別の安全性指標が与えられる。その代替または追加として、配線板に配置された１つまたは複数の条導体をつなぐブリッジが糸によって形成される。条導体はたとえば行または列の配線であってよく、それは、この場合にマトリクスディスプレイとして構成される表示装置を制御するためである。
【００２８】
本発明の１つの実施形態では、電子回路と配線板の一領域は表紙の見返しに配置されている。
【００２９】
本発明の１つの実施形態では、電子回路はＩＳＯ１４４４３Ａ／ＢまたはＩＣＡＯ９３０３ＭＲＴＤに定めるＲＦＩＤ電子装置として構成されており、前側および／後側のパスポート表紙に組み込まれている。
【００３０】
本発明の１つの実施形態では、表示装置はアクティブ・マトリクスＯＬＥＤ表示装置である。この表示装置は、無機パッシベーション層ないしバリア層を備える、厚さ約５０μｍの薄い柔軟なガラス基板を有することができる。フレキシブル配線板はたとえばポリアミド（ＰＩ）でできていてよく、個人化ページは１つまたは複数のポリカーボネート（ＰＣ）層を有することができ、これに配線板が積層されていてよい。フレキシブル配線板は、パスポートの背を介して、パスポート表紙の前側または後側の内面に通じていてよい。
【００３１】
個人化ページは、熱可塑性ポリウレタン（ＴＰＵ）からなる１つまたは複数の層を有することができる。あるいは、これ以外の熱可塑性エラストマーを使用することもできる。そのために、熱可塑性ポリウレタンの群全体、熱可塑性コポリエステルの群、および熱可塑性ポリエーテルブロックアミドの群を利用することができる。高温安定性のプラスチックとしては、たとえばポリカーボネート（ＰＣ）、ポリエーテルスルホン（ＰＥＳ）、ポリエーテルケトン（ＰＥＥＫ）、ポリフェニレンオキシド（ＰＰＯ）、ポリフェニレンスルフィド（ＰＰＳ）、ポリエチレンテレフタレート（ＰＥＴ）、特にＰＥＴｇまたはＰＥＴｆ、ポリブチレンテレフタレート（ＰＢＴ）、ポリオキシメチレン（ＰＯＭ）、ポリスルホン（ＰＳＵ）、ポリエーテルイミド（ＰＥＩ）、またはポリアミド（ＰＡ）を適用することができる。別の実施形態では、１つまたは複数の層はアクリルニトリルブタジエンスチロール共重合体（ＡＢＳ）および／またはポリエチレンナフタレート（ＰＥＮ）を有することができる。
【００３２】
本発明の１つの実施形態では、ＯＬＥＤ表示装置は片側または両側に薄いポリカーボネート層を備えている。このことは含浸、スプレー、ドクターブレード塗布、ロールコーティング、スクリーン印刷などの手法によって溶液から行うことができ、または、薄いポリカーボネートフィルムを用いた積層技術によって実施することができる。それによってＯＬＥＤ表示装置のほか、フレキシブル配線板の一区域も覆われる。このように防護されたＯＬＥＤ表示装置は、曲げたときにはるかに影響を受けにくく、したがって、容易に他のポリカーボネートフィルムと積層して個人化ページにすることができる。
【００３３】
本発明の１つの実施形態では、表示装置はＩＣＯ９３０３標準に適合するように構成される。
【００３４】
本発明はさらに別の態様において、文書を製造する方法を対象としている。この方法は次のステップを含んでいる：表示装置と、表示装置と接触するフレキシブル配線板とを備える個人化ページを製作し、このとき配線板は個人化ページから突き出す領域を有しており、個人化ページから突き出した領域は表示装置を制御するための電子回路を有しており、表紙に前記領域を取り付け、表紙に個人化ページを旋回可能に取り付ける。
【００３５】
個人化ページを製作するために、たとえば異方性導電フィルム（Ａｎｉｓｏｔｒｏｐ  Ｃｏｎｄｕｃｔｉｖｅ  Ｆｉｌｍ−ＡＣＦ）を用いて、表示装置がフレキシブル配線板と接触するように手順を進めることができる。そして表示装置とフレキシブル条導体の一区域とに、たとえばポリカーボネート層のようなプラスチック層が備え付けられる。そして、このように防護された表示装置およびこれと接触したフレキシブル条導体を、別のプラスチック層または紙層と接合して個人化ページにすることができ、それは、たとえば表示装置およびこれと接触するフレキシブル配線板が他のポリカーボネートフィルムと積層されて個人化ページになることによって行われる。
【００３６】
本発明の１つの実施形態では、個人化ページは縫合によって他の内側枚葉紙と結合される。縫合部は、個人化ページから突き出すフレキシブル配線板の領域を通って延びているのが好ましい。このとき、縫合部の糸が条導体の１つまたは複数の電気接触を閉じることが意図されていてよい。
【００３７】
次に、本発明の実施形態について図面を参照しながら詳しく説明する。
【図面の簡単な説明】
【００３８】
【図１】本発明による本型の文書の一実施形態を示す模式的な斜視図である。
【図２】本発明による文書の一実施形態を示すブロック図である。
【図３】本発明による文書の別の実施形態を示すブロック図であり、ドライバは表紙に配置されている。
【図４】本発明による文書の別の実施形態を示すブロック図であり、ドライバは個人化ページに配置されている。
【図５】前側の表紙に回路を有する、本発明による文書の一実施形態を示す平面図である。
【図６】後側の表紙に回路を有する、本発明による文書の別の実施形態を示す平面図である。
【図７】本発明による文書の別の実施形態を示す斜視図である。
【図８】縫合部が延びているフレキシブル条導体の領域を示す詳細図である。
【発明を実施するための形態】
【００３９】
以下において、下記の実施形態の互いに対応する部材には同じ符号が付されている。
【００４０】
図１は、本型に構成された本発明による文書１００の一実施形態を示している。この文書１００は特に証明用文書、たとえばパスポートであってよい。文書１００は文書のひな型であってよく、または、すでに部分的もしくは全面的に個人化された文書であってよい。
【００４１】
文書１００は前側の表紙１０２、特に前側のパスポート表紙と、後側の表紙１０４、特に後側のパスポート表紙とを有している。
【００４２】
表紙１０２および１０４の間に個人化ページ１０６がある。個人化ページ１０６は層状の構造を有することができ、個人化ページ１０６の前面は第１の層１０８によって形成され、個人化ページ１０６の裏面は第２の層１１０によって形成される。層１０８および１１０はプラスチック層、特にポリカーボネート層であってよい。
【００４３】
層１０８および１１０の間には、たとえば個人化ページ１０６を形成するために相互に積層により結合された、別のプラスチック層および／または紙層があってよい。特に、それによって与えられる個人化ページ１０６の層構造はレーザ個人化をするために、またはその他の個人化方式を実施するために構成されていてよい。個人化によって、たとえば個人化ページ１０６の前面に、文書１００の所有者に関する個人情報を含む、たとえばその氏名、誕生日、住所などを含む、テキスト欄１１２が埋め込まれる。個人化ページ１０６の前面にある別のテキスト欄１１４は、たとえばＩＣＡＯが仕様を決めるいわゆる機械可読領域（ＭＲＺ）として、機械で読み取り可能に構成されていてよい。
【００４４】
層１０８および１１０の間には、表示装置１１６が個人化ページ１０６に組み込まれている。表示装置１１６は、たとえば電気エネルギー供給が利用できない場合にも、たとえばパスポート写真のような画像１１８を表示することができる双安定表示装置であってよく、あるいはエミッシブディスプレイ、たとえばＯＬＥＤディスプレイ、特にアクティブマトリクス（ＡＭ）ＯＬＥＤディスプレイであってよい。
【００４５】
表示装置１１６はフレキシブル配線板１２０と電気接続されている。配線板１２０は、個人化ページ１０６にある領域１２２と、個人化ページ１０６の範囲外にある領域１２４（図２）とを有している。
【００４６】
配線板１２０の上には、特に導線１２６や導線１２８のように、さまざまな電気コンポーネントおよび／または電子コンポーネントが配置されていてよい。導線１２６および１２８の端部は、ここでは表示装置１１６の対応する接続接点１３０および１３２と、たとえばＡＣＦを用いて電気接続されている。特に表示装置１１６のエッジは、配線板１２０の端部領域とＡＣＦによって接続されていてよく、配線板１２０に塗布されているパッシベーション層が、接続接点１３０および１３２のある個所で中断されており、それにより、ＡＣＦによってそこに電気接触部が構成される。
【００４７】
導線１２６および１２８を介してたとえば表示装置１１６、の電圧供給が行われ、またはその制御が行われる。好ましくは、表示装置１１６および個人化ページ１０６の層１０８と１１０の間の配線板１２０の領域１２２は封入されており、それによって環境が及ぼす影響から保護されている。
【００４８】
文書１００は、紙または紙に類似する材料からなる複数の内側枚葉紙１３４を有している。個人化ページ１０６と内側枚葉紙１３４は縫合部１３６によって相互に結合されており、ならびに表紙１０２および１０４とも結合されている。その代替または追加として、たとえば無線綴じなど、これ以外の種類の製本を選択することもできる。導線１２６，１２８および／または配線１４０は製本部分を貫いて延びている。たとえば図８の実施形態を参照されたい。
【００４９】
図２は、本発明による文書１００のブロック図を示している。この実施形態では配線板１２０の領域１２４は、表示装置１１６を制御するための電子回路１３８を担持している。電子回路１３８を備える領域１２４は、ここで考察している実施形態では、表紙１０４に組み込まれている。電子回路１３８は、表示装置１１６を制御する役目をする。そのために電子回路１３８は、配線１４０を介して表示装置１１６と接続されている。
【００５０】
ここで考察している実施形態では、電子回路１３８は、配線１２６および１２８を介してコイル１４２と接続されたＲＦＩＤチップとして構成されている。コイル１４２は同じく表紙１０４に組み込まれており、読み取り装置の電気エネルギーを入力結合し、ならびに読み取り装置と通信する役目をする。この通信はＲＦＩＤ方式またはＮＦＣ方式により行うことができる。たとえば読み取り装置は搬送波を送信し、これによって誘導電気エネルギーがコイル１４２に入力結合され、それにより、電子回路１３８と表示装置１１６のための電圧供給が惹起される。
【００５１】
電子回路１３８は画像データを記憶するためのメモリを有しており、電気エネルギーがコイル１４２に入力結合されるとただちに、電子回路１３８がこのメモリにアクセスして、表示装置１１６を画像データの再生のために制御する。電子回路１３８は、たとえば特に文書１００の所有者の生体データのような保護の必要があるデータを記憶するために、これ以外の機能コンポーネントを含むことができ、ならびに、たとえばＩＣＡＯが仕様を決める基本アクセス制御（ＢＡＣ）および／または拡張アクセス制御（ＥＡＣ）をインプリメントするための暗号化機能を有することができる。
【００５２】
図３は、文書１００の電子回路１３８の一実施形態を示している。この電子回路１３８は、画像データを記憶するためのメモリ１４４を有している。たとえばメモリ１４４には、文書１００の所有者のデジタルポートレート写真が、たとえばＪＰＥＧのフォーマットで保存されている。メモリ１４４には、たとえば異なる撮影角度から撮影されたポートレート画像の画像シーケンスのように、複数の画像が保存されていてもよい。メモリ１４４には、たとえばテキスト情報、２Ｄバーコード等のように、表示装置１１６で表示を生成するためのそれ以外のデータが保存されていてもよい。回路１３８は、プログラム命令を実行するためのマイクロプロセッサ１４６を含んでおり、ならびにドライバ１４８を含んでおり、これを介して、たとえば行と列の配線を通じて表示装置１１６の表示部材が直接制御される。
【００５３】
作動時には、マイクロプロセッサ１４６がプログラム命令を実行することで、メモリ１４４に保存されているデータにアクセスし、メモリ１４４から読み取られたデータを用いて、相応の画像を表示装置１１６で再生するためにドライバ１４８を制御する。
【００５４】
図４に示すように、ドライバは表示装置１１６の統合された構成要素であってよく、すなわち個人化ページ１０６に配置されていてよい。この場合、マイクロプロセッサ１４６は配線１４０を介してドライバを制御する。
【００５５】
図５は、電子回路１３８が表紙１０２のキャビティ１５０に配置された文書１００の実施形態を示している。図５に示すように、表紙を貫いて配線板１２０の領域１２２が延びている。
【００５６】
図６は、キャビティ１５０が電子回路１３８とともに後側の表紙１０４に配置された別案の実施形態を示している。
【００５７】
図７は、複数の内側枚葉紙１３４が縫合部１３６を介して個人化ページ１０６と結合された文書１００の実施形態を示している。個人化ページ１０６と内側枚葉紙１３４は、表紙１０２および１０４の見返し１５２と、たとえば接着によって結合されている。見返し１５２は、上方に向かってキャビティ１５０（図５および６参照）を閉止している。
【００５８】
図８は、個人化ページ１０６がある領域１２２と、表紙１０２ないし表紙１０４がある領域１２４との間の移行領域で、フレキシブル配線板１２０の平面図を示している。この移行領域を貫いて、糸１５４を有する縫合部１３６が延びている。この糸は導電性材料でできており、または、導電性材料で少なくとも区域的にコーティングされている。
【００５９】
ここで考察している実施形態では、糸１５４は配線板１２０の移行領域で２つのブリッジ１５６および１５８を形成しており、その下を配線１４０が貫いて延びている。配線板１２０の移行領域を通る糸１５４の通過個所１６０，１６２および１６４で、糸１５４は、配線板１２０に配置された配線との電気接点を形成している。ここで考察している実施形態では、これは糸１５４が通過個所１６０，１６２ないし１６４で電気接点を形成する条導体１６６，１６８および１７０である。それにより、条導体１６６および１７０は条導体１６８と電気接続される。
【００６０】
条導体１６８は表示装置１１６と接続されており、条導体１６６および１７０は電子回路１３８と接続されている。回路１３８は、この実施形態では、プログラム命令１７２を実行するために、およびプログラム命令１７４を実行するために構成されたマイクロプロセッサ１４６を含んでいる。プログラム命令１７４は、縫合部１３６が無傷であるかどうか、または不正操作の試みがなされているかどうかをチェックする役目をする。
【００６１】
電気エネルギーが文書１００へ入力結合されるとただちに、プログラム命令１７４の実行により、表示装置から条導体１６８を介して出される特定の信号が条導体１６６および１７０に印加されているかどうかが判定される。これが該当するケースでのみ、通過個所１６０，１６２および１６４で形成される電気接触が無傷であり、すなわち縫合部１３６が正常である。それが該当している場合には、次いで、たとえば画像データをメモリ１４４から読み出してこれを表示装置１１６で再生するために、プログラム命令１７２の実行が開始される。
【００６２】
条導体の代替または追加として、糸１５４によって互いに電気接続される、これ以外の電気コンポーネントまたは電子コンポーネントが配線板１２０に配置されていてもよい。
【符号の説明】
【００６３】
１００  文書
１０２  表紙
１０４  表紙
１０６  個人化ページ
１０８  層
１１０  層
１１２  テキスト欄
１１４  テキスト欄
１１６  表示装置
１１８  画像
１２０  配線板
１２２  領域
１２４  領域
１２６  導線
１２８  導線
１３０  接続接点
１３２  接続接点
１３４  内側枚葉紙
１３６  縫合部
１３８  回路
１４０  配線
１４２  コイル
１４４  メモリ
１４６  マイクロプロセッサ
１４８  ドライバ
１５０  キャビティ
１５２  見返し
１５４  糸
１５６  領域
１５８  領域
１６０  通過個所
１６２  通過個所
１６４  通過個所
１６６  条導体
１６８  条導体
１７０  条導体
１７２  プログラム命令
１７４  プログラム命令
【図１】
2013521153.tif 000003
【図２】
2013521153.tif 000004
【図３】
2013521153.tif 000005
【図４】
2013521153.tif 000006
【図５】
2013521153.tif 000007
【図６】
2013521153.tif 000008
【図７】
2013521153.tif 000009
【図８】
2013521153.tif 000010
【国際調査報告】
2013521153.tif 000011
2013521153.tif 000012
2013521153.tif 000013
2013521153.tif 000014